(57)【特許請求の範囲】
【請求項１】
斜面における吊り足場の設置方法であって、
斜面幅方向に間隔を開けて複数の支柱を立設すると共に、この斜面上に吊り足場を展開すべく前記斜面幅方向に足場材を延設し、さらに、前記支柱の上部より前記足場材を吊り下げてなる吊り足場の設置方法。
【請求項２】
前記足場材と前記支柱の上部とを連結する足場支持材を前記支柱の立て込みに先立って支柱の上部に連結し、
さらに前記足場支持材を、前記支柱の立て込みに伴って支柱上部より吊り下げることを特徴とする請求項１に記載の吊り足場の設置方法。
【請求項３】
斜面幅方向に間隔を開けて複数の支柱を有すると共に、この支柱によって斜面幅方向に落下物の防護体を展開支持する落下物防護装置を斜面に設置する際、前記足場材を吊り下げるための支柱として前記落下物防護装置用の支柱を用いることを特徴とする請求項１又は２に記載の吊り足場の設置方法。
【請求項４】
前記足場材の位置を、前記支柱を支点にして設定変更することを特徴とする請求項１から３の何れかに記載の吊り足場の設置方法。
【発明の詳細な説明】
【技術分野】
【０００１】
本発明は、斜面からの落石や雪崩を防護する落下物防護装置の施工技術に関し、詳細には、その施工に用いる吊り足場、並びに斜面における吊り足場の設置方法に関する。
【背景技術】
【０００２】
落下物防護装置として、例えば、山間を走る道路を落石や雪崩から防ぐ落石防護柵やポケット式の落石防護網などが従来から知られている。
【０００３】
図９に、これら落下物防護装置の一例として落石防護柵１００を示す。
図９の落石防護柵１００は、斜面幅方向に間隔をあけて立設される複数本の支柱１０１と、各支柱１０１の上部若しくは下部を経由して斜面幅方向に張り渡されるサポートロープ１０３，１０４と、これらサポートロープ１０３，１０４及び各支柱１０１によって斜面幅方向に展開・支持される防護網１０５を備えて構成されている。
なお、図９中１０３ａ及び１０４ａはサポートロープ１０３，１０４に設けられる衝撃吸収用のブレーキ装置であり、ブレーキ装置は、衝撃作用時に一定のブレーキ力をかけながらサポートロープ１０３，１０４を繰り出して衝撃を和らげる。
【０００４】
また、防護網の敷設方法として、下記の手法が知られている。
１つ目は、ポケット式の落石防護網に適用される手法である。
ポケット式の落石防護網は、斜面前方に張り出す支柱を有し、作業者は、斜面の立木またはアンカーに固定された親綱を使って宙づりになり、斜面山側を向いた状態で防護網を下から上へと手繰り上げて最上段横ロープに防護網を括り付ける。
【０００５】
２つ目は、斜面直角型の支柱を有する落石防護柵に適用される手法である。
ここで斜面直角型の支柱とは、支柱を立てた状態で斜面と支柱とのなす角度が直角になる支柱であり、支柱の上部は、ポケット式の落下物防護網同様、作業者の手の届かない高い位置に支持される。
このため支柱上部での高所作業を可能にすべく、支柱と支柱との間に足場となるワイヤロープを複数段に亘りきつく張り渡し、作業者は支柱間に張り渡されたワイヤロープを伝い歩きながら防護網を設置する。
【０００６】
３つ目は、比較的緩斜面で適用される手法である。
この例では、支柱の斜面谷側において、単管パイプや足場板などの仮設資材を用いて足場を構築し、作業者はこの足場に載って作業を行う。また、足場は、作業終了後に解体して撤去・搬出する。
【先行技術文献】
【特許文献】
【０００７】
【特許文献１】特開２００９−０２４３７８号公報
【発明の開示】
【発明が解決しようとする課題】
【０００８】
ところで、防護網の敷設に係る上述の手法は、以下の点で改良の余地がある。
１つ目の手法は、作業者が常に宙づりになって作業を行うため、身体への負担が重く、作業効率も悪い。また、防護網の敷設作業は、通常２人ペアで行うが、安全規則上の問題から、作業者の上下作業（頭上で別の作業者が宙づりで作業すること）が禁止されており、この点でも作業上の制約がある。
【０００９】
２つ目の手法は、支柱間に張り渡したワイヤロープを足場代わりに利用するものの、支柱が斜面谷側に傾いているため、立ち位置に対して手元が斜面谷側に遠くなる。よって、作業者は、斜面谷側に身を乗り出すような無理な姿勢で作業を行わなければならない。また、ワイヤロープは締め器によってきつく締め付けられているものの、あくまでも可撓性を有するワイヤロープ上での作業になるため、足場板等に較べて不安定である。
【００１０】
３つ目の手法は、仮設資材を用いて安定した足場を斜面上に組むため、作業性は良いが、仮設資材の搬入・組立、また，作業終了後の解体、撤去搬出等、足場の設置に伴う付帯作業が増える。とりわけ、防護網を広範囲に設置する場合には、多数の仮設資材を要するためコストや工期短縮の面でも不利である。さらには、不意の落石に対する足場の被災や、被災後の復旧作業等をも考慮する必要がある。
【００１１】
本発明は、このような事情を考慮してなされたもので、斜面において作業性の良い足場をシンプルな構造で確保できる吊り足場の提供を課題とする。また、その設置方法を提供する。
【課題を解決するための手段】
【００１２】
上記した技術的課題を解決するため本発明は、
斜面からの落下物を防護すべく、斜面幅方向に間隔を開けて立設される複数の支柱と、前記複数の支柱によって斜面幅方向に支持される落下物の防護体と、を有する落下物防護装置の吊り足場であって、
前記各支柱の上部から吊り下げられる足場支持材と、この足場支持材によって支持され、斜面幅方向に延設される足場材と、を有することを特徴とする。
【００１３】
本発明によれば、斜面幅方向に足場材を延設すると共に、この足場材を各支柱の上部から吊り下げて空中に支持する。従って、作業者は複数の支柱によって支えられた足場材に載って作業を行える。ここで、斜面幅方向とは、斜面の傾斜方向（山谷方向）と交差する方向である。
前記支柱は、谷側方向に傾斜して設けられ、かつ、前記落下物の防護体は、前記支柱の上部に支持することが可能である。
このようにすれば、支柱の上部（高所）に向かうほど作業者の手元が作業者の立ち位置に寄るため、作業者は、無理な姿勢にならずに支柱上部付近の作業を行える。とりわけ、斜面前方に傾く支柱を有する落下物防護装置の施工時には、常に斜面山側を向いて作業できるため、防護体の引き上げ作業等、効率良く行える。また、本発明の吊り足場は、構成部材も少なく、設置・解体・復旧等の維持管理、並びにコスト面でも有利である。
【００１４】
また、前記足場材には、吊り下げ前後において、その初期の形状を維持し得る剛性が確保されていることを特徴とする。
【００１５】
本構成では、足場材に剛性を確保することで、足場材における作業者の横移動を容易にする。なお、上記で「初期の形状を維持し得る」とは、吊り下げ前後において足場材が原型を留めていれば足り、自重に起因した撓み等の変形、並びに作業者が載ることで生じる軽微な曲がりや捻れは除外する。
【００１６】
また、前記足場材、および前記足場支持材が、鋼製パイプで構成されていることを特徴とする。
【００１７】
本構成によれば、足場材及び足場支持材として鋼製パイプを使用するため、曲げや捻れに対して高い耐力及び剛性が得られる。また、汎用の単管パイプも適用できるため、吊り足場の導入時、並びに不意の被災時等において資材の調達コストを下げることができる。また、単管パイプ用の汎用クランプを用いることで各部の組み上げが容易になり、吊り足場の設置・解体に要する時間も短縮できる。
【００１８】
また、前記足場支持材は、前記支柱に対して着脱自在に吊り下げられている構成でもよい。
【００１９】
この構成によれば、吊り足場の設置時、並びに吊り足場の撤去時等、足場支持材の着脱によって、吊り足場全体を短時間且つ容易に設置・撤去することができる。
【００２０】
また、前記支柱と前記足場支持材とのなす角度を所望の角度に設定するための角度設定部材をさらに有することを特徴とする。
【００２１】
これらの構成では、支柱と足場支持材とのなす角度、言い換えれば、支柱と足場材との間隔を角度設定部材によって設定変更できる。つまり、作業者の立ち位置と手元の間隔を角度設定部材によって好みの位置に設定変更できるため、作業効率のさらなる向上が図られる。
【００２２】
また、前記角度設定部材は、前記支柱と前記足場支持材との間に介在して支持されると共に、前記支柱を支点にして前記足場支持材を支持することを特徴とする。
【００２３】
本構成では、支柱を支点にして足場支持材を所望の角度で支持するため、斜面等に角度設定用のワイヤロープ等を張らずとも、簡単に足場支持材の角度を設定できる。つまり、吊り足場単体で作業者の立ち位置を設定できる。
【００２４】
また、前記足場支持材に対して、その上下複数段に前記足場材が連結されている構成でもよい。
【００２５】
本構成では、上下複数段にわたり足場材を設けるため、吊り足場の高さ方向における作業性が良好になる他、足場が独立して確保されるため作業員の上下作業も可能になる。また、吊り足場全体の曲げ剛性や捻り剛性も高めることができる。
【００２６】
また，本発明は、斜面における吊り足場の設置方法であって、
斜面幅方向に間隔を開けて複数の支柱を立設すると共に、この斜面上に吊り足場を展開すべく前記斜面幅方向に足場材を延設し、さらに、前記支柱の上部より前記足場材を吊り下げてなる吊り足場の設置方法。
【００２７】
この方法によれば、斜面に吊り足場を設置する際、斜面幅方向に間隔を開けて設けられた支柱から足場材を吊り下げて足場を確保する。従って、作業者は複数の支柱によって空中に支えられた足場に載って作業を行える。また、支柱の上部（高所）に向かうほど作業者の手元が作業者の立ち位置に寄るため、作業者は、無理な姿勢にならずに支柱上部付近の作業を行える。とりわけ、斜面前方に傾く支柱を有する落下物防護装置の施工時には、常に斜面山側を向いて作業できるため、防護体の引き上げ作業等、効率良く行える。また、足場材を支柱上部より吊り下げるだけの簡単な施工で済むため、設置・解体・復旧等の維持管理、並びにコスト面でも有利である。
【００２８】
また、前記足場材と前記支柱の上部とを連結する足場支持材を前記支柱の立て込みに先立って支柱の上部に連結し、
さらに前記足場支持材を、前記支柱の立て込みに伴って支柱上部より吊り下げることを特徴とする。
【００２９】
この方法では、支柱と足場材とを連結する足場支持材を支柱の上部に予め組み付けた状態で支柱を立て込む。このため支柱の立て込みと同時に足場支持材が支柱の上部より吊り下ろされるため、本来、支柱に登って行うべき足場支持材の組み付け作業を地上で済ませることができる。
【００３０】
また、斜面幅方向に間隔を開けて複数の支柱を有すると共に、この支柱によって斜面幅方向に落下物の防護体を展開支持する落下物防護装置を斜面に設置する際、前記足場材を吊り下げるための支柱として前記落下物防護装置用の支柱を用いることを特徴とする。
【００３１】
この方法では、落下物防護装置の施工にあたり、その落下物防護装置に用いる支柱を利用して足場材を斜面下方に吊り下げる。このため吊り足場専用に別途支柱を設けずとも吊り足場を設置できる。
【００３２】
また、前記足場材の位置を、前記支柱を支点にして設定変更することを特徴とする。
【００３３】
この方法では、支柱を支点にして足場材の位置を設定変更するため、斜面等に角度設定用のワイヤロープ等を別途張らずとも、簡単に足場材の位置を変更できる。つまり、吊り足場単体で作業者の立ち位置を設定できる。
【発明の効果】
【００３４】
以上、本発明によれば、斜面において作業性の良い足場をシンプルな構造で確保できる。また、その設置方法を提供できる。とりわけ、落下物防護装置の施工に本発明を適用すれば、支柱高所における防護網の敷設作業を容易に行える他、吊り足場の設置から撤去に至る全体を通しての工期短縮、並びにコスト削減も図れる。
【図面の簡単な説明】
【００３５】
【図１】本実施の形態に示す吊り足場の概略構成図。
【図２】図１に係る吊り足場の側面図。
【図３】支柱と足場支持材との連結状態を示す要部拡大図。
【図４】脱落防止ストッパーの拡大図。
【図５】足場支持材と足場材との連結状態を示す要部拡大図。
【図６】本実施の形態に係る落石防護柵の正面図。
【図７】本実施の形態に係る落石防護柵の平面図。
【図８】図６の落石防護柵に適用される支柱の側面図。
【図９】従来の落下物防護装置（落石防護柵）を示す斜視図。
【発明を実施するための最良の形態】
【００３６】
以下、本発明に係る吊り足場を落石防護柵の施工に適用した実施の形態を説明する。
はじめに、吊り足場の説明に先立って、落石防護柵の一般的な構造並びにその施工例を説明する。
図６〜図８のように落石防護柵５０は、斜面幅方向（左右方向）に間隔を開けて立設される複数本の支柱５１，５１と、各支柱５１，５１を斜面山側に引きつけて固定するための支柱控えロープ５８（図８参照）と、各支柱５１,５１を斜面谷側に引きつけて固定するためのステーロープ５９(図１参照)と、支柱５１に対してその上下方向に配索される支柱補強ロープ５３と、各支柱５１に支持されて斜面幅方向に延びる上部横ロープ５４及び下部横ロープ５５と、これら上部横ロープ５４及び下部横ロープ５５間に設けられる高張力防護網（以下、防護網５６と称する）と、を備えている。
【００３７】
支柱５１は、肉厚の鋼管製で、その根本部分には斜面に設けられたコンクリート基礎（ベースプレート）に支柱を繋ぎ止めるフランジ５７（図８参照）が設けられている。
また、支柱５１の上下２箇所には、各種ロープを繋ぎ止めるためのブラケット５２，５２が設けられている。また、各ブラケット５２，５２は支柱５１を立てた状態で斜面山側を向くように支柱５１に溶接されている。
また、図８のように各ブラケット５２，５２の山側先端部分には支柱補強ロープ５３を結索するためのＵ字ボルト５３ｃ，５３ｄが組み付けられ、両ブラケット５２，５２は支柱補強ロープ５３によって相互に連結されている。
【００３８】
また、ブラケット５２，５２に組み付けられた支柱補強ロープ５３のアイ加工部分（リング状端部５３ａ，５３ｂ）の輪を通すように各上部横ロープ５４および下部横ロープ５５が配索されている。すなわち、上部横ロープ５４及び下部横ロープ５５は支柱５１の山側においてブラケット５２，５２にその動きを拘束されることなく斜面幅方向に配索されている。
【００３９】
また、支柱５１の上部には、支柱控えロープ結索用のＵ字ボルト５８ａ（図８参照）が設けられ、支柱控えロープ５８の一端はＵ字ボルト５８ａに結索され、他端は斜面山側に張り付けられている。また、隣合う支柱５１，５１の上部同士を繋ぎ止める上弦ロープ６０（図７参照）が各支柱５１の上部ブラケット５２ａ，５２ａ間に張り渡されている。
【００４０】
また、防護網５６は、支柱５１の山側に配索された下部横ロープ５５及び上部横ロープ５４間に敷設される。具体的には、防護網５６の上縁を支柱下部から手繰り上げて上部横ロープ５４に引っ掛け、さらに、上部横ロープ５４を抱き込むように防護網５６の上縁を折り返して結合コイル６１で固定する。また、下部横ロープ５５側でも同様の端部処理を行う。
【００４１】
なお、これら防護網５６の敷設作業、並びに支柱上部における配索作業の一部は、本発明に係る吊り足場を用いて行っている。以下、本発明に係る吊り足場の構造並びに設置方法を説明する。
【００４２】
吊り足場１は、図１及び図２のように斜面幅方向に延設される足場材２と、この足場材２を落石防護柵５０の支柱上部から吊り下ろす足場支持材３と、足場支持材３の角度を設定するための角度設定用ターンバックル４とを備えている。
【００４３】
足場支持材３から説明すると、足場支持材３は、支柱５１よりも若干長く、φ４８，６の汎用単管パイプを加工して製作されている。また、図３のように、その上部開口端には、円形のプレート３ａが上部開口端に対して立った状態で溶接されている。また、プレート３ａには、シャックルやフック等の吊り具Ｃを留め置くためのピン孔３ｂが形成されている。
【００４４】
また、足場支持材３における長手方向の中間部分（図５参照）には、上下２段にわけて丸棒５ａが溶接されている。この丸棒５ａは、足場材２の脱落防止ストッパー５として用いられ、図５のように足場支持材３を支柱上部より吊り下げた状態で、斜面谷側から斜面山側に貫くように設けられている。また、脱落防止ストッパー５の上方には、角度設定用ターンバックル４を組み付けるためのターンバックル用ステー３ｄが溶接されている。
【００４５】
足場材２は、足場支持材３と同様、汎用の単管パイプからなる。具体的には、φ４８，６の単管パイプからなり、直交クランプや自在クランプ等（以下、単にクランプ６と称する）を用いて足場支持材３に締結される。なお、足場支持材３の長さは、支柱５１の立て込みスパン（支柱間距離）に基づいて選定されている。
【００４６】
角度設定用ターンバックル４は、足場支持材３を支柱上部より吊り下げた状態で、支柱５１と足場支持材３との間に介在・支持される部材であり、本実施の形態では、両端部にクレビスジョイント４ａ，４ｂを有する汎用のターンバックルを使用している。また、このように構成される角度設定用ターンバックル４の一端は、足場支持材３のターンバックル用ステー３ｄに連結され、他端は、支柱５１の中間部分に予め溶接しておいた支柱側ターンバックル用ステー５１ａ（図８参照）に連結される。
【００４７】
続いて、上記構成を有する吊り足場１の設置方法を説明する。
はじめに設置作業の概要を説明すると、吊り足場１の設置作業は支柱５１の立て込み作業と合わせて実施される。具体的には、支柱５１に足場支持材３、および角度設定用ターンバックル４を組み付けた後、支柱５１の立ち上げに伴って足場支持材３を支柱５１の上部より吊り下げる。また、吊り下げた状態の足場支持材３に足場材２を組み付けた後、角度設定用ターンバックル４を締め込んで足場材２の位置を調整する。
【００４８】
以下、各工程を詳細に説明する。
支柱５１に足場支持材３を組み付ける作業は、上述の如く支柱５１の立ち上げ前に行われる。具体的には、吊り具Ｃ（シャックル）を使用して支柱５１の上部に足場支持材３の上端部を連結する。なお、支柱５１の上部ブラケット５２ａには、吊り具Ｃに対応すべく斜面谷側に突設して吊り具の係止部５２ｄが設けられている。なお。図３中では支柱上部に設けられる半円形リング状部材が、吊り具の係止部５２ｄになる。
【００４９】
続いて、支柱５１と足場支持材３との間に角度設定用ターンバックル４を組み付ける。本実施の形態では、上述の如く支柱５１側のターンバックル用ステー５１ａと足場支持材３側のターンバックル用ステー３ｄとの間に角度設定用ターンバックル４を組み付ける。なお、角度設定用ターンバックル４は、足場支持材３の吊り下げに先立って、足場支持材３若しくは支柱５１の何れかに予め組み付けておいても良い。また、角度設定用ターンバックル４に用いるターンバックルのサイズは、支柱５１の設置角度、並びに支柱５１及び足場支持材３の長さ等を考慮しながら、余裕を持って選定する。
【００５０】
そして、足場支持材３及び角度設定用ターンバックル４を組み付けた状態で支柱５１を引き起こし、支柱５１を斜面に立設させる。また、これらの作業を支柱５１の個々で行う。
【００５１】
続いて、各支柱５１の上部同士を繋ぎ止めるように上弦ロープ６０を配索すると共に、この上弦ロープ６０に滑車を組み付ける。また、滑車から親綱を引き下ろして作業者が宙づりになり、続く足場材２の組み付け作業並びに角度設定用ターンバックル４の調整作業に備える。
【００５２】
なお、足場材２の組み付け作業、及び角度設定用ターンバックル４の調整作業を地上側で行える場合には、地上側で行う。また、手が届かない時には上記のように作業員が宙づりの状態で作業する。なお、宙づりの作業は、足場支持材３の軸線上で行われるため、作業者は、足場支持材３に設けられた脱落防止ストッパー５を足がかりにして作業を行えるため、実質、脱落防止ストッパー５を足場として作業を行うことになる。
【００５３】
続いて、足場材２の組み付け作業を行う。
本実施の形態では、足場材２並びに足場支持材３として汎用の単管パイプを用いるため、足場材２と足場支持材３との連結には上述のように単管パイプ用のクランプ６を使用する。
【００５４】
また、足場材２の組み付け位置は、足場支持材３の中央部分に設けられた脱落防止ストッパー５の直上であり、本実施の形態では、上下２箇所に設けられた脱落防止ストッパー５の直上に足場材２を各々組み付ける。
【００５５】
また、足場材２と足場支持材３とを連結する際、足場材２が極力水平となるようにクランプの止め位置を調節する。また、足場材２を組み付ける際、本実施の形態では、図１のように最寄りの足場支持材３（図１中Ａ）に対して、上段の足場材２（２ａ）を左側に延ばした場合には、下段の足場材２（２ｂ）は足場支持材３に対して右側に延ばすようにする。すなわち、最寄りに足場支持材３（Ａ）に対して左右両方向にそれぞれ足場材２を延ばして足場を展開する。なお、これらの作業は、隣合う足場支持材３の双方で行われ、各部の締結作業終了後には、図２のように上下２段に亘る略水平な足場が確保される。
【００５６】
続いて、足場材２と作業者の手元が適切な位置関係となるように角度設定用ターンバックル４を調節する。すなわち、支柱５１と足場支持材３とのなす角度（図２中θ参照）を角度設定用ターンバックル４の締め込みによって所望の角度に設定し、これを以て作業者の立ち位置を変更する。
なお、角度設定用ターンバックル４は、立ち位置の調整に加え、吊り足場の補強部材としても機能する。すなわち、斜面に固定された支柱５１と足場支持材３とを角度設定用ターンバックル４で繋ぎ止めることで、足場材２における前後左右の振れが無くなり、非常に安定した足場が得られる。
そして、このように設置された吊り足場１に作業者Ｍが乗り込み（図１参照）、支柱５１の下部より防護網５６を手繰り上げて支柱上部の最上段横ロープ５４に防護網５６を括り付ける。
なお、図１及び図２は吊り足場１を主体とした図示の都合上、支柱５１に連結される各種ロープは、仮想線若しくはその図示を省略している。
【００５７】
このように本実施の形態によれば、支柱上部より吊り下げた足場材２に立って作業を行うため、落石防護柵に適用される斜面直角型の支柱や斜面前方に張り出すポケット式落石防護網の支柱等において、支柱の谷側に安定した足場を確保できる。また、支柱５１の上部に向かうにつれて作業者の手元が作業者の立ち位置に寄るため、この点でも作業性が良い。
また、足場材２を支柱５１の上部より吊り下ろすだけのシンプルな構造のため設置、解体撤去、並びに被災時の復旧も容易である。さらに吊り足場１の設置から解体・撤去に至る落石防護柵の施工全体を通じて工期短縮、並びに各種コストの削減を図れる。
【００５８】
なお、上記した実施の形態はあくまでも一例であり、その詳細は、各種仕様に応じて変更可能である。
例えば、本実施の形態では、コスト及び取り扱いの容易さから足場材２並びに足場支持材３をφ４８，６の汎用単管パイプで構成しているが、より高強度の肉厚パイプを用いてもよい。また、単管パイプに限らず、他の素材及び構造材を用いて吊り足場を製作してもよい。すなわち、足場材２及び足場支持材３の好ましい形態としては、その吊り下げ前後において、初期の形状を維持し得る剛性が確保されていれば足りる。
【００５９】
また、本実施の形態では、支柱５１と足場支持材３との間に角度設定用ターンバックル４を組み付け、支柱５１を支点にして足場支持材３の位置を調整しているが、角度設定用ターンバックル４に代えて、単管パイプと自在クランプを用いて支柱５１と足場支持材３を接続してもよい。この場合、支柱５１側、若しくは単管パイプ側に、単管パイプと支柱の連結に伴う連結プレート等の溶接加工を行っておくと良い。
【００６０】
また、本実施の形態では、脱落防止ストッパー５として丸棒を溶接しているが、丸棒に代えてガゼットプレート等を溶接してもよい。また、上下２段に限られず、作業員の人数等に応じて段数を増やしても良い
【００６１】
また、本実施の形態では、支柱５１を支点にして足場支持材３の角度を設定しているが、足場支持材３若しくは足場材２をワイヤロープ等で直接斜面に張り付けて固定してもよい。また、本実施の形態では長さ調節を可能にすべくターンバックルを用いているが、ターンバックルに代えて、長さの異なる棒状部材を入れ替えて作業者の立ち位置を調整してもよい。また、ターンバックルに代えて締め器等で足場支持材を支柱側に寄せることもできる。
【００６２】
また、単管パイプからなる足場材２に代えて足場材をワイヤロープで構成してもよい。この場合、ワイヤロープが撓むため、締め器等で張力を与えるとよい。また、ワイヤロープは可撓性を有するため単管パイプに較べると不安定であるが、支柱の上部から吊り下げることで、作業者の立ち位置が常に斜面谷側となる。よって、この点において作業性の向上が望める。また、足場支持材３に代えてワイヤロープやクサリ等の索体を用いることもできる。
【符号の説明】
【００６３】
１    吊り足場
２    足場材
３    足場支持材
３ａ  プレート
３ｂ  ピン孔
３ｄ  ターンバックル用ステー
４    角度設定用ターンバックル
４ａ  クレビスジョイント
４ｂ  クレビスジョイント
５    脱落防止ストッパー
５ａ  丸棒
６    クランプ
５０  落石防護柵（落下物防護装置）
５１    支柱
５１ａ  支柱側ターンバックル用ステー
５２    ブラケット
５２ｄ  係止部
５２ａ  上部ブラケット
５３    支柱補強ロープ
５３ａ  リング状端部
５３ｂ  リング状端部
５３ｃ  Ｕ字ボルト
５３ｄ  Ｕ字ボルト
５４    上部横ロープ（最上段横ロープ）
５５    下部横ロープ
５６    防護網
５７    フランジ
５８    支柱控えロープ
５８ａ  Ｕ字ボルト
５９    ステーロープ
６０    上弦ロープ
６１    結合コイル
【図１】
0006444725.tif 000002
【図２】
0006444725.tif 000003
【図３】
0006444725.tif 000004
【図４】
0006444725.tif 000005
【図５】
0006444725.tif 000006
【図６】
0006444725.tif 000007
【図７】
0006444725.tif 000008
【図８】
0006444725.tif 000009
【図９】
0006444725.tif 000010